(57)【特許請求の範囲】
【請求項１】
前面側に取り付けられる所定の透光性部材と、当該透光性部材を発光させることが可能な所定の光源とを備える遊技機であって、
前記透光性部材は、
遊技者側にほぼ面する部材正面と、
部材正面からほぼ後方に向かって延出する部材側面と、
当該部材側面の内側であって当該透光性部材を所定の台座に取り付けるためのネジ孔を設けたボス部と、を有し、
前記ボス部は、前記台座側に面する裏面側端面と、前記部材正面の裏面側に面する正面側端面とを有するとともに、前記正面側端面が前記部材正面の裏面から離間して形成され、
前記光源は、前記ボス部の正面側端面よりも前方に配置されることを特徴とする遊技機。
【請求項２】
前記部材正面には、前記ボス部の正面側端面に対向する部分を開口した開口部が形成され、
前記部材正面の裏面から前記開口部に嵌入され、当該開口部を覆う透光性覆材を備え、
前記透光性覆材の外縁には、前記開口部周縁に当接するフランジ部が形成され、
前記フランジ部は、前記透光性部材の台座への螺着により前記開口部周縁と前記台座とに挟持されることを特徴とする請求項１記載の遊技機。
【請求項３】
前記台座は、前記透光性部材及び前記透光性覆材の内側空間を複数の導光空間に仕切り、かつ、各導光空間に設けられる光源からの光を遮光する遮光壁を有し、該遮光壁と前記開口部周縁との間で前記フランジ部が挟持されることを特徴とする請求項２記載の遊技機。
【請求項４】
前記透光性部材は、前記透光性覆材より透過率の低い色に着色されたことを特徴とする請求項２又は３記載の遊技機。
【発明の詳細な説明】
【技術分野】
【０００１】
本発明は、外装に取り付けられる所定の透光性部材を備えるスロットマシン、パチンコ機などの遊技機に関し、特に、固定用のボス部が形成された透光性部材を備える遊技機に関する。
【背景技術】
【０００２】
遊技場には、所定の操作により遊技を進行させるスロットマシン、パチンコ機などの遊技機が複数設置されている。
例えば、スロットマシンは、遊技者が遊技媒体となる遊技用のメダル（コイン）や遊技球（パチンコ球）を投入してスタートレバーを押下することにより、外周面に所定の絵柄や数字，文字等の図柄が表された複数のリール（通常３個のリール）が回転を開始し、定速回転後、任意のタイミングで停止ボタンが押されることでリールが停止し、停止表示されたリール上の図柄の組合せに応じて所定数の遊技媒体が払い出される遊技機である。
【０００３】
一般に、この種の遊技機は、遊技の興趣を高めるために、外装に電飾部を備えている。電飾部は、ＬＥＤ等の光源が設けられる台座の前面側に、透光性部材を配置して構成されており、遊技の進行などに応じて光源を発光制御することにより、電飾による演出効果が得られるようになっている（例えば、特許文献１、２参照）。
【０００４】
透光性部材は、通常、射出成形された透光性の樹脂部材からなり、台座に対して固定されている。
例えば、特許文献１に示される透光性部材は、後端面にネジ孔が形成された複数のボス部を有し、これらのネジ孔に螺入される複数のネジを介して台座に固定されている。
また、特許文献２に示される透光性部材は、後方に延出する複数の係止片部を有し、これらの係止片部を台座側の係止部で係止することにより台座に固定されている。
【先行技術文献】
【特許文献】
【０００５】
【特許文献１】特開２００９−２４７８０８号公報
【特許文献２】特開２００８−２３７６９４号公報
【発明の概要】
【発明が解決しようとする課題】
【０００８】
本発明は、美観を向上させることができる遊技機の提供を目的とする。
【課題を解決するための手段】
【０００９】
上記目的を達成するため本発明の遊技機は、前面側に取り付けられる所定の透光性部材と、当該透光性部材を発光させることが可能な所定の光源とを備える遊技機であって、前記透光性部材は、遊技者側にほぼ面する部材正面と、部材正面からほぼ後方に向かって延出する部材側面と、当該部材側面の内側であって当該透光性部材を所定の台座に取り付けるためのネジ孔を設けたボス部と、を有し、前記ボス部は、前記台座側に面する裏面側端面と、前記部材正面の裏面側に面する正面側端面とを有するとともに、前記正面側端面が前記部材正面の裏面から離間して形成され、前記光源は、前記ボス部の正面側端面よりも前方に配置される構成としてある。
【図面の簡単な説明】
【００１１】
【図１】本発明の一実施形態に係るスロットマシンの外観を示す概略斜視図である。
【図２】本発明の一実施形態に係るスロットマシンの電飾部を外した状態を示す概略分解斜視図である。
【図３】電飾部の分解斜視図である。
【図４】透光性部材及び透光性覆材を下方から見た分解斜視図である。
【図５】（ａ）は、電飾部の正面図、（ｂ）は、電飾部のＡ−Ａ断面図である。
【発明を実施するための形態】
【００１２】
以下、本発明に係る遊技機の一例としてスロットマシンの好ましい実施形態について、各図を参照して説明する。
【００１３】
［スロットマシン本体］
図１は、本発明の一実施形態に係るスロットマシンの外観を示す概略斜視図である。
この図に示すように、本実施形態のスロットマシン１は、複数のリール（図示せず）を回転させることによって遊技媒体であるメダルを獲得することができる回胴式遊技機を構成している。
【００１４】
スロットマシン１は、内部がマイクロコンピュータ等で構成された制御部（図示せず）、制御部からの指令により、ＬＥＤ等の光源２１やスピーカ３を制御する演出制御部（図示せず）、及び必要な機械、装置等を収納する正面側が開口した筐体１ｂと、筐体１ｂの正面側を開閉可能に覆う前扉１ａとで構成されている。
【００１５】
前扉１ａは、スロットマシン１の筐体１ｂにヒンジ等を介して開閉可能に取り付けられる扉体で、この前扉１ａに、各リールに表示された図柄を視認可能とする表示窓４と、遊技操作に係る複数の操作手段と、遊技に係る演出手段が設けられて、スロットマシン１の正面部を構成している。
【００１６】
操作手段としては、メダルが投入されるメダル投入口５と、装置内部にクレジットとして貯留されたメダルをゲームに賭けるベットボタン６と、各リールの回転を始動させるスタートレバー７と、回転している各リールを停止させる３つの停止ボタン８ａ，８ｂ，８ｃが設けられている。
また、演出手段としては、光源２１の点灯制御により視覚的な演出を行う電飾部２と、効果音等の出力により聴覚的な演出を行うスピーカ３が設けられている。
【００１７】
なお、図示は省略するが、筐体１ｂの中央には、リールと、各リールを回転させる図示しないモータ及び回転位置を検出するセンサ等を備えるドラムユニットが設けられる。
また、筐体１ｂの下部には、メダルの貯留・払出しを行うメダル払出装置が設けられる。メダル払出装置には、メダルを貯留するホッパーが設けられ、メダル投入口５より投入されたメダルは、メダルセレクタにより検出されるとともに、ホッパーに誘導されるようになっている。
【００１８】
このように構成されたスロットマシン１では、上記の各操作手段からの信号やメダルセレクタからの信号に基づき、制御部が、ドラムユニット、メダル払出装置などの各装置を制御することで、以下のようなスロットマシン遊技が進行する。
【００１９】
具体的には、遊技者によりメダル投入口５からメダルが投入されると、メダルがメダルセレクタにより検出され、検出信号が制御部に入力される。制御部は、この検出信号の入力数からゲーム可能なメダル数を監視するとともに、スタートレバー７の操作を監視する。
ゲーム可能なメダル数となったときに、スタートレバー７が操作されると、制御部は、ドラムユニットを駆動して、各リールを回転させる制御を行う。
【００２０】
さらに、制御部は、スタートレバー７が操作されたときに、ボーナスや小役等を抽選する内部抽選を行い、各停止ボタン８ａ，８ｂ，８ｃが押下操作されたタイミングに基づき、抽選結果に応じた図柄の組合せで停止するよう、回転している各リールの停止制御を行う。
【００２１】
また、制御部は、各リールに停止表示される図柄の組合せを判定し、所定の図柄の組合せのときには、メダル払出装置に対して所定数のメダルを払い出す制御を行い、メダルをメダル払出口９から払い出す。
【００２２】
また、スロットマシン１では、上述したようなスロットマシン遊技において、制御部が遊技状態に応じた所定の制御信号を演出制御部に出力することで、演出制御部が、この制御信号に従い、予め記憶した演出プログラムに基づき、光源２１やスピーカ３を駆動して、所定の演出を行う。
【００２３】
［電飾部］
次に、本実施形態の電飾部２について、各図を参照して詳述する。
図２は、本発明の一実施形態に係るスロットマシンの電飾部を外した状態を示す概略分解斜視図、図３は、電飾部の分解斜視図、図４は、透光性部材及び透光性覆材を下方から見た分解斜視図、図５の（ａ）は、電飾部の正面図、（ｂ）は、電飾部のＡ−Ａ断面図である。
これらの図に示すように、電飾部２は、光源２１、台座２２、透光性部材２３、及び透光性覆材２４を備えて構成され、前扉１ａの正面上部に取り付けられる。
【００２４】
図３に示すように、光源２１は、前面に複数のＬＥＤ２１１が実装されたＬＥＤ基板２１２からなり、台座２２の裏面側に取り付けられる。ＬＥＤ２１１には、形態による種別（チップ型ＬＥＤ、砲弾型ＬＥＤ）や、発光色による種別（単色発光ＬＥＤ、フルカラーＬＥＤ）があり、電飾部２の演出内容に応じて種別が選択される。例えば、本実施形態では、ＬＥＤ基板２１２上に、複数のチップ型単色発光ＬＥＤ２１１からなる単色発光ＬＥＤ群Ｇ１と、複数のチップ型フルカラーＬＥＤ２１１からなるフルカラーＬＥＤ群Ｇ２を構成し、各ＬＥＤ群Ｇ１、Ｇ２単位で発光制御を行う。
なお、本発明の遊技機に用いる光源は、ＬＥＤに限らず、白熱灯、蛍光灯などであってもよい。
【００２５】
台座２２は、射出成形される非透光性の樹脂部材からなり、光源２１を取り付けるための光源取り付け部２２１を有する。光源取り付け部２２１は、スロットマシン１の正面とほぼ平行な壁面であり、その裏面側に沿って光源２１であるＬＥＤ２１１が実装されたＬＥＤ基板２１２が取り付けられる（図５（ｂ）参照）。光源取り付け部２２１には、ＬＥＤ基板２１２におけるＬＥＤ２１１の実装位置に対応する複数のＬＥＤ孔２２２が形成されている。ＬＥＤ孔２２２は、ＬＥＤ２１１を透光性部材２３の裏面側に向けて露出させる光源孔として機能し、これらのＬＥＤ孔２２２を介して、ＬＥＤ２１１の発光が光源取り付け部２２１の前方に照射される。
【００２６】
光源取り付け部２２１の前面側には、複数の遮光壁２２３が前方に向けて延出されている。これらの遮光壁２２３は、光源取り付け部２２１の前方空間（透光性部材２３及び透光性覆材２４の内側空間）を複数の導光空間Ｋに仕切り、かつ、各導光空間Ｋに入射されたＬＥＤ２１１の光を遮光する。これにより、各ＬＥＤ群Ｇ１、Ｇ２の光を、互いに干渉させることなく、透光性部材２３及び透光性覆材２４の内面部に導くことができる。
【００２７】
光源取り付け部２２１の上部には、複数のボス部嵌合凹部２２４が形成されている。ボス部嵌合凹部２２４は、前後方向に沿い、上方及び前方が開口したＵ字状の溝であり、透光性部材２３のボス部２３１が嵌合されることにより、透光性部材２３の位置決めを行う。また、ボス部嵌合凹部２２４の後端面部には、ネジ挿通孔２２５が形成されており、このネジ挿通孔２２５に後方から挿通したネジ２６をボス部２３１のネジ孔２３２に螺入することにより、透光性部材２３が台座２２に螺着される。また、ネジ挿通孔２２５は、ＬＥＤ孔２２２よりも後方に配置されている。
【００２８】
透光性部材２３は、射出成形される透光性（無色又は有色透明）の樹脂部材からなり、台座２２の前面側に取り付けられ、光源２１の前方を覆う。本実施形態の透光性部材２３は、点発光するＬＥＤ２１１を光源として面発光されるので、可及的に均一に面発光するために、光拡散機能を備えることが好ましい。例えば、樹脂材料に所定の拡散材を配合する方法、透光性部材２３の内面部に光を拡散させるレンズ面を成形する方法、光を拡散させる光拡散シートを透光性部材２３の内面部に重ねる方法などを用いて透光性部材２３に光拡散機能を付与する。
【００２９】
透光性部材２３は、遊技中にある遊技者にほぼ面する部材正面２３３と、部材正面２３３からほぼ後方に向かって延出する部材側面２３４とを有する。本実施形態の部材側面２３４は、部材正面２３３の上端から後方に向かって延出する部材上面として形成されている。部材側面２３４の内側には、後方に向かって延出する複数のボス部２３１が形成される。前述したように、これらのボス部２３１を台座２２のボス部嵌合凹部２２４に嵌合させ、該ボス部嵌合凹部２２４のネジ挿通孔２２５に後方から挿通したネジ２６をボス部２３１のネジ孔２３２に螺入することにより、透光性部材２３が台座２２に螺着される。
【００３０】
ボス部２３１は、図４に示すように、台座２２側に面する裏面側端面２３１ａと、部材正面２３３の裏面側に面する正面側端面２３１ｂとを有するとともに、正面側端面２３１ｂが部材正面２３３の裏面から離間して形成される。
このようにすると、透光性部材２３は台座２２にボス部２３１を介して取り外し不能に固定されているものの、部材正面２３３の表面側からボス部２３１の形状が透けて見えることがなくなり、ボス部２３１としての固定機能を損なうことなく、外装の美観を向上させることができる。
【００３１】
また、本実施形態では、透光性部材２３の内側であってボス部２３１の近傍に光源２１を備えるにあたり、図５の（ｂ）に示すように、光源２１となるＬＥＤ２１１を、ボス部２３１の正面側端面２３１ｂより前方に配置している。
このようにすると、ボス部２３１の影が部材正面２３３に映ることを確実に回避することができる。
【００３２】
透光性部材２３のボス部２３１を部材正面２３３の裏面から離間して形成する方法としては、射出成形に用いる金型を一方向（ボス延出方向）のスライド型とし、部材正面２３３の裏面から後方に延出する長いボス部２３１を成形した後、部材正面２３３の裏面とボス部２３１の正面側端面２３１ｂとの間を所定の後加工により切除する方法や、射出成形に用いる金型を二方向（ボス延出方向＋ボス交差方向（図４の紙面上、又は透光性部材２３の両端部へ向かう方向））のスライド型とし、部材正面２３３の裏面とボス部２３１の正面側端面２３１ｂとの間に、ボス交差方向にスライド可能な金型を配置した状態で射出成形を行う方法があるが、前者の方法では、後加工が必要になり、後者の方法では、二方向にスライド可能な複雑な金型を必要とするので、製造コストの上昇が懸念される。
【００３３】
そこで、本実施形態では、透光性部材２３の部材正面２３３及び部材側面２３４に、ボス部２３１の正面側端面２３１ｂに対向する部分が開口された開口部２３５を形成することにより、一方向のスライド型で成形可能にするとともに、この開口部２３５を別部材である透光性覆材２４で覆うようにしてある。
このようにすると、後加工を行ったり、二方向にスライド可能な複雑な金型を用いることなく、本発明に係る透光性部材２３を安価に製造することが可能になる。また、透光性部材２３と透光性覆材２４を別部材とすることで、各々別の色に着色することができる。
【００３４】
透光性覆材２４は、透光性部材２３と同様に、射出成形される透光性（無色又は有色透明）の樹脂部材からなり、開口部２３５を覆うことができる形状を有する。例えば、本実施形態の開口部２３５は、透光性部材２３の部材正面２３３と部材側面２３４に跨って形成されているので、これを覆う本実施形態の透光性覆材２４は、遊技者に面する正面部２４１と、正面部２４１からほぼ後方に向かって延出する側面部２４２（本実施形態では上面部）とからなる逆Ｌ字状の側断面形状を有する。
【００３５】
また、本実施形態の透光性覆材２４は、部材正面２３３や部材側面２３４の裏面側から開口部２３５に嵌入され（図４の一点鎖線参照）、当該開口部２３５を覆うようになっている。ここで、透光性覆材２４の外縁には、開口部２３５の周縁に裏側から当接するフランジ部２４３が形成され、この当接によって透光性覆材２４が透光性部材２３の表側に抜け落ちてしまうことを規制している。
【００３６】
さらに、フランジ部２４３は、透光性部材２３の台座２２への螺着により開口部２３５の周縁と台座２２とに挟持される。
このようにすると、ネジなどの固定部材を用いることなく、透光性覆材２４を脱落不能に固定することができる。
【００３７】
また、フランジ部２４３を、透光性覆材２４の左右外縁に、正面部２４１と側面部２４２に跨るように形成することで、遮光壁２２３の前端面２２３ａ及び上端面２２３ｂをフランジ部２４３の裏面側に当接させている。
このようにすると、遮光壁２２３との当接によって透光性覆材２４の前後及び上下方向の移動が規制されるので、透光性覆材２４の脱落をより確実に防止することができる。
【００３８】
さらに、本実施形態では、台座２２に形成される遮光壁２２３を利用し、当該遮光壁２２３と開口部２３５の周縁との間でフランジ部２４３を挟持している。
このようにすると、遮光壁２２３が透光性覆材２４の固定部に兼用されるので、固定部を別途形成する場合に比べて台座２２の形状を簡略化することができる。つまり、遮光壁２２３は、透光性部材２３及び透光性覆材２４の内側空間を複数の導光空間Ｋに仕切ることで、各導光空間Ｋに設けられるＬＥＤ２１１からの光を遮光しながら、開口部２３５の周縁との間で透光性覆材２４を挟持する固定部としても機能するようになっている。
【００３９】
透光性部材２３と透光性覆材２４は、意匠性を高めるために、異なる色に着色することができる。このとき、透光性部材２３は、透光性覆材２４より透過率の低い色に着色されることが好ましい。例えば、透光性部材２３の色を赤、透光性覆材２４の色を乳白色とする。
このようにすると、透光性部材２３と透光性覆材２４が表裏に重なり合う部分（開口部２３５の周縁とフランジ部２４３）において、透光性覆材２４の色が透光性部材２３の表面側に透けて見えることを抑制し、外装の美観を向上させることができる。
なお、透過率の高低を比較するための基準となる光は、自然光、ＬＥＤ２２１の光のどちらでもよい。
【００４０】
以上のように構成された本実施形態によれば、ボス部２３１の正面側端面２３１ｂが部材正面２３３の裏面から離間して形成されるので、部材正面２３３の表面側からボス部２３１の形状が透けて見えてしまうことがなく、外装の美観を向上させることができる。また、透光性部材２３は台座２２にボス部２３１を介して固定されているので、取り外されることもない。
また、光源２１が発光している状態で、部材正面２３３にボス部２３１の影が映ることをなくすことができる。
【００４１】
以上、本発明の好ましい実施形態について説明したが、本発明は上述した実施形態にのみ限定されるものではなく、本発明の範囲で種々の変更実施が可能であることはいうまでもない。
例えば、前記実施形態では、成形を容易にするために、透光性部材に開口部を形成し、当該開口部を透光性覆材で覆っているが、開口部が形成されない透光性部材でも本発明を実施することができる。すなわち、射出成形に用いる金型を二方向（ボス延出方向＋ボス交差方向（図４中紙面上、又は両端方向））のスライド型とし、部材正面２３３の裏面とボス部２３１の正面側端面２３１ｂとの間に、ボス交差方向にスライド可能な金型を配置した状態で射出成形を行うことで、開口部を設けることなく、ボス部２３１の正面側端面２３１ｂを部材正面２３３の裏面から離間させることができる。
また、前記実施形態では、遊技機の電飾部に適用した例を示したが、外装に透光性部材を備えていれば、電飾部以外の部位にも適用できることはいうまでもない。
また、部材正面は遊技者側にほぼ面する遊技者が遊技中に見える面である。部材側面は部材正面からほぼ後方に向かって延出する面であり、本実施形態の上面に限らず、底面、側面（遊技機外に面する外向き面のみならずこれに対向する内向き面も含む）となる面をいう。
また、本実施形態の透光性部材２３は、部材正面２３３が遊技者側に膨出する円弧形状に形成したが、例えば、形状はこれに限定されず、例えば、直線形状とすることもできる。
【産業上の利用可能性】
【００４２】
本発明は、外装に取り付けられる所定の透光性部材を備えるスロットマシン、パチンコ機などの遊技機に好適に利用することができる。
【符号の説明】
【００４３】
１  スロットマシン
２  電飾部
２１  光源
２２  台座
２３  透光性部材
２４  透光性覆材
２６  ネジ
２２１  ＬＥＤ
２２３  遮光壁
２３１  ボス部
２３１ａ  裏面側端面
２３１ｂ  正面側端面
２３３  部材正面
２３４  部材側面
２３５  開口部
２４３  フランジ部
Ｋ  導光空間
【図１】
0005685720.tif 000002
【図２】
0005685720.tif 000003
【図３】
0005685720.tif 000004
【図４】
0005685720.tif 000005
【図５】
0005685720.tif 000006